(57)【要約】【課題】メモリカード装填部を本体に備える携帯電子機器において、本体内のメモリカード装填部における高密度実装を実現する。【解決手段】メモリカード装填部１３０を本体１に備える携帯電子機器において、本体１内に、メモリカード装填部１３０と重ねてスピーカ１２５を配置する。このように、本体１内にメモリカード装填部１３０とスピーカ１２５を重ねて配置したので、高密度実装を達成できる。具体的には、本体１の長手方向ほぼ中央に電池パック１１６を備え、メモリカード装填部１３０及びスピーカ１２５を電池パック１１６に対し一端部側に配置する。そして、メモリカード１３１の装填口を本体１の一端部に開口する。【選択図】図１２
2005167797.tif 000002
【特許請求の範囲】
【請求項１】
メモリカード装填部を本体に備える携帯電子機器において、
前記本体内に、前記メモリカード装填部と重ねてスピーカを配置したことを特徴とする携帯電子機器。
【請求項２】
前記本体の長手方向ほぼ中央に電池パックを備え、
前記メモリカード装填部及びスピーカを前記電池パックに対し一端部側に配置するとともに、
メモリカードの装填口を前記本体の一端部に開口したことを特徴とする請求項１に記載の携帯電子機器。
【請求項３】
前記本体の他端部に充電端子を備えることを特徴とする請求項２に記載の携帯電子機器。
【請求項４】
本体ケース内に配置される回路基板に前記メモリカード装填部及び電池パックを固定して、
前記本体ケースに前記スピーカを固定したことを特徴とする請求項２に記載の携帯電子機器。
【請求項５】
前記回路基板に設けられたコネクタに前記スピーカの端子を接続したことを特徴とする請求項４に記載の携帯電子機器。
【発明の詳細な説明】
【技術分野】
【０００１】
本発明は、メモリカード装填部及びスピーカを備える携帯電子機器に関する。
【背景技術】
【０００２】
携帯電子機器、特に携帯電話機にメモリカード装填部を備えたものが普及している。
そして、折り畳み式携帯電話機において、本体にメモリカード装填部を設け、その装填口を本体側面に開口させたものがある（例えば特許文献１参照）。
【特許文献１】特開２００３−８７０２号公報
【発明の開示】
【発明が解決しようとする課題】
【０００３】
とろこで、メモリカード装填部は本体内の余裕スペースに設けられており、従来より高密度実装の対象にはなっていなかった。
【０００４】
本発明の課題は、メモリカード装填部を本体に備える携帯電子機器において、本体内のメモリカード装填部における高密度実装を実現することである。
【課題を解決するための手段】
【０００５】
以上の課題を解決するため、請求項１に記載の発明は、例えば図７、図１１及び図１２に示すように、メモリカード装填部１３０を本体１に備える携帯電子機器において、前記本体１内に、前記メモリカード装填部１３０と重ねてスピーカ１２５を配置したことを特徴とする。
【０００６】
請求項１に記載の発明によれば、本体内にメモリカード装填部とスピーカを重ねて配置したので、高密度実装を達成できる。
【０００７】
請求項２に記載の発明は、請求項１に記載の携帯電子機器であって、例えば図１２に示すように、前記本体１の長手方向ほぼ中央に電池パック１１６を備え、前記メモリカード装填部１３０及びスピーカ１２５を前記電池パック１１６に対し一端部側に配置するとともに、メモリカード１３１の装填口を前記本体１の一端部に開口したことを特徴とする。
【０００８】
請求項３に記載の発明は、請求項２に記載の携帯電子機器であって、例えば図８から図１０に示すように、前記本体１の他端部に充電端子１１７を備えることを特徴とする。
【０００９】
請求項４に記載の発明は、請求項２に記載の携帯電子機器であって、例えば図６及び図７に示すように、本体ケース１１内に配置される回路基板１６に前記メモリカード装填部１３０（シールドケース１３２）及び電池パック１１６を固定して、前記本体ケース１１に前記スピーカ１２５を固定したことを特徴とする。
【００１０】
請求項５に記載の発明は、請求項４に記載の携帯電子機器であって、例えば図８に示すように、前記回路基板１６に設けられたコネクタ１６５に前記スピーカ１２５の端子を接続したことを特徴とする。
【発明の効果】
【００１１】
本発明によれば、本体内のメモリカード装填部において、スピーカを重ねた配置により高密度実装を達成できる。
【発明を実施するための最良の形態】
【００１２】
以下、図を参照して本発明を実施するための最良の形態を詳細に説明する。
本発明を適用した携帯電子機器の一実施形態として折り畳み式携帯電話機を示した図１及び図２において、１は本体部、２は蓋部である。
本体部１は、アンテナ１０１、カメラキー１０２、メールキー１０３、十字キー１０４、決定キー１０５、アドレス帳キー１０６、ネット接続キー１０７、クリアキー１０８、オンフックキー１０９、オフフックキー１１１、テンキー１１２、マイク１１３、カードスロットカバー１１４、報知用スピーカ放音部１１５、電池パック１１６、充電用端子１１７、ＵＳＢ端子１１８、コネクタカバー１１９、ボイス録音キー１２１、マナーキー１２２、ストラップ取付部１２３等を備える。
【００１３】
蓋部２は、スピーカ２０１、メイン表示部２０２、サブ表示部２０３、報知用ＬＥＤ２０４、撮像レンズ２０５、フラッシュ用ＬＥＤ２０６等を備える。
蓋部２は、図３に示すように、下ケース２１、中ケース２２、上ケース２３、ヒンジピース２４、化粧パネル２６、レシーバーカバー２７、ロゴプレート２８等から構成されている。図中、２００は中ケースアッシー、２１０はケースビス、２１２はメインディスプレイパネル、２１３はサブディスプレイパネル、２１５はレンズカバー、２１６はＬＥＤカバー、２２０・２３０・２４０はクッション、２２５はレンズパネル、２３２・２３３・２３５・２３６・２７１・２８１は両面テープである。
【００１４】
本体部１は、図４及び図５に示すように、下ケース１１、中ケース１２、上ケース１３、外部メモリコネクタ部フレーム１４、ヒンジピース１５、メイン回路基板１６、キーフィルム基板１７、キーパッド１８、キートッププレート１９等から構成されている。図中、１２４はスロットカバーヒンジ、１２５は報知用スピーカ、１２６は電池蓋、１２７は中ケース部品、１２８はイヤホンカバー、１３１はミニメモリカード、１３２は外部メモリシールドケース、１３３はビス、１３５はスピーカホルダ、１３６はスピーカ止め具、１３７は目隠しシート、１４１はアンテナホルダ、１４２は絶縁テープ、１４３は両面テープ、１４４は絶縁シート、１４５は定格ラベル、１４６は電池蓋固定ノブ、１４７・１４８は絶縁テープ、１６１は通信コネクタ、１６３はバイブレータである。
【００１５】
図６は図５の本体部１を構成する下ケース１１に報知用スピーカ１２５及びアンテナ１０１等を組み付けた状態を拡大して示したもので、図示のように、報知用スピーカ１２５はスピーカホルダ１３５及びスピーカ止め具１３６により下ケース１１の内側面に取り付けられている。下ケース１１の報知用スピーカ放音部１１５の内側面には、図５に示すように、目隠しシート１３７が介装される。
そして、報知用スピーカ１２５と背中合わせに重ねて近接配置して、図７に示すように、ミニメモリカード装填部１３０がメイン回路基板１６上に備えられている。即ち、ミニメモリカード装填部１３０は、ミニメモリカード１３１が挿入可能な外部メモリシールドケース１３２をビス１３３によりメイン回路基板１６上に取り付けて構成されるもので、外部メモリシールドケース１３２内には図示しない外部メモリコネクタが設けられている。
【００１６】
報知用スピーカ１２５及びミニメモリカード装填部１３０は、図８以降に示したように、下ケース１１のほぼ中央に収納されてメイン回路基板１６上の電池コネクタ１６６に接続する電池パック１１６に対し本体部１の長手方向一端側に配置されている。報知用スピーカ１２５の端子もメイン回路基板１６上のスピーカコネクタ１６５に接続されている。なお、メイン回路基板１６上には、各種電子部品、例えばミニメモリカード装填部１３０と反対側の他端部に通信コネクタ１６１及びイヤホンジャック１６２が搭載され、ミニメモリカード装填部１３０の一側部にバイブレータ１６４及び二次電池１６４が搭載されている。
また、下ケース１１の一端部には、外部メモリコネクタ部フレーム１４が取り付けられており、この外部メモリコネクタ部フレーム１４には、アンテナ１０１の横方に位置してメモリカード装填部１３０の装填口を開閉するカードスロットカバー１１４が、左右一対のスロットカバーヒンジ１２４を介して回動可能に組み付けられている。
以上の下ケース１１にメイン回路基板１６及び中ケース１２を取り付け、さらに、キーフィルム基板１７、キーパッド１８を介装して上ケース１３を合体する等して本体部１が構成されている。
【００１７】
以上の通り、実施形態では、折り畳み式携帯電話機の本体部１において、報知用スピーカ１２５とミニメモリカード装填部１３０を背中合わせに重ねて近接配置し、ミニメモリカード１３１の装填口を開閉するカードスロットカバー１１４をアンテナ１０１の横方に設けた構造となっている。
つまり、報知用スピーカ１２５とミニメモリカード装填部１３０を背中合わせに重ねた近接配置によって高密度実装を合理的に実現できる。
【００１８】
なお、以上の実施形態においては、折り畳み式携帯電話機としたが、本発明はこれに限定されるものではなく、他の携帯電子機器であっても良い。
また、その他、具体的な細部構造等についても適宜に変更可能であることは勿論である。
【図面の簡単な説明】
【００１９】
【図１】本発明を適用した携帯電子機器の一実施形態の構成を示すもので、折り畳み式携帯電話機を開いた状態を示す正面図（ａ）、背面図（ｂ）、左右から見た側面図（ｃ）（ｄ）、上下から見た端面図（ｅ）（ｆ）である。
【図２】図１の折り畳み式携帯電話機を折り畳んだ状態を示す正面図（ａ）、背面図（ｂ）、左右から見た側面図（ｃ）（ｄ）、上下から見た端面図（ｅ）（ｆ）である。
【図３】図１の折り畳み式携帯電話機の蓋部を構成する上ケース、中ケース、下ケース及び化粧パネル等を示した分解斜視図である。
【図４】図１の折り畳み式携帯電話機の本体部を構成する上ケース及び中ケース等を示した分解斜視図である。
【図５】図１の折り畳み式携帯電話機の本体部を構成する下ケース及びメイン基板等を示した分解斜視図である。
【図６】図５の本体部を構成する下ケースにスピーカ及びアンテナ等を組み付けた状態を示した拡大斜視図である。
【図７】図６の下ケースと図５のメイン基板及びメモリカード装填部等との組付方を示した斜視図である。
【図８】図７のメイン基板及びメモリカード装填部等を反対から見てスピーカとの関係を示した斜視図である。
【図９】図８のメイン基板及びメモリカード装填部等を上下逆に示した斜視図である。
【図１０】図８のメイン基板及びメモリカード装填部等とアンテナとの関係を示した斜視図である。
【図１１】図７の下ケースとメイン基板及び上ケース等との組付状態を示した斜視図である。
【図１２】組立状態の本体部の内部構造を示した縦断側面図である。
【符号の説明】
【００２０】
１  本体部
２  蓋部
１１  下ケース（本体ケース）
１２  中ケース
１３  上ケース
１４  外部メモリコネクタ部フレーム
１５  ヒンジピース
１６  メイン回路基板
１１４  カードスロットカバー
１１６  電池パック
１２４  スロットカバーヒンジ
１２５  報知用スピーカ
１２６  電池蓋
１３１  メモリカード
１３２  外部メモリシールドケース
１３５  スピーカホルダ
１３６  スピーカ止め具
１６５  スピーカコネクタ
１６６  電池コネクタ
【図１】
2005167797.tif 000003
【図２】
2005167797.tif 000004
【図３】
2005167797.tif 000005
【図４】
2005167797.tif 000006
【図５】
2005167797.tif 000007
【図６】
2005167797.tif 000008
【図７】
2005167797.tif 000009
【図８】
2005167797.tif 000010
【図９】
2005167797.tif 000011
【図１０】
2005167797.tif 000012
【図１１】
2005167797.tif 000013
【図１２】
2005167797.tif 000014